(57)【要約】      （修正有）【課題】靴面に防水ライナー部が設けられ、ユーザが装着したときに通気性及び防水性の機能が得られる防水靴面構造を提供する。【解決手段】防水靴面構造は、靴底１１、靴面体１２及び防水ライナー部１３を備える。靴面体１２が靴底１１の上縁面に圧着されて靴体１０が成形される。靴面体１２には、防水ライナー部１３が設けられる。防水ライナー部１３には、複数の防水半球体凸部１３１が設けられる。防水ライナー部１３の表面には、複数の高低凹凸面が形成される。防水半球体凸部１３１は、頂面中心部の高所から下方へ向かって形成された小孔径を有する貫通孔１３２を有するとともに、靴面体１２に設けられる。靴面体１２の内部には、連通する通気孔が形成される。【選択図】図１
0003219423.tif 000002
【実用新案登録請求の範囲】
【請求項１】
靴底、靴面体及び防水ライナー部を備えた防水靴面構造であって、
前記靴面体が前記靴底の上縁面に圧着されて靴体が成形され、
前記靴面体には、前記防水ライナー部が設けられ、
前記防水ライナー部には、複数の防水半球体凸部が設けられ、前記防水ライナー部の表面には、複数の高低凹凸面が形成され、前記防水半球体凸部は、頂面中心部の高所から下方へ向かって形成された小孔径を有する貫通孔を有するとともに、前記靴面体に設けられ、前記靴面体の内部には、連通する通気孔が形成され、前記靴面体内部の装着空間には、前記靴面体の前記通気孔及び前記防水ライナー部の前記半球体凸部の垂直貫通孔を介して外部の空気が流通し、前記靴体が捻られると、前記靴面体の前記防水ライナー部が外部の圧力を受けて押圧されて靴内の空気が前記半球体凸部の前記貫通孔から押し出され、収縮する際、外部の空気が自然に吸入され、前記靴面体上の前記半球体凸部の前記通気貫通孔に気流交換の通気孔が形成されているため、靴内が通気性を有して快適な履き心地となり、前記防水ライナー部の前記半球体凸部間の高低凹凸面により、雨水が自然に低所に流れ落ち、水滴が前記半球体凸部の前記垂直貫通孔上に落下するときに毛細管現象が発生し、雨水が自然に低所に流れ落ち、前記貫通孔内に浸入することがないため、防水性及び通気性が得られることを特徴とする防水靴面構造。
【請求項２】
前記半球体凸部は、様々な形に造形されることを特徴とする請求項１に記載の防水靴面構造。
【請求項３】
前記防水ライナー部の表面には、頂面の高所から下方へ向かって小孔径を有する前記垂直貫通孔が形成されていることを特徴とする請求項１に記載の防水靴面構造。
【請求項４】
前記防水ライナー部は、ヘルメットのヘルメット本体上に設けられるとともに、前記ヘルメット本体の前記垂直貫通孔に設けられた複数の前記半球体凸部を有することを特徴とする請求項１に記載の防水靴面構造。
【請求項５】
前記防水ライナー部は、合羽の背中部上に設けられるとともに、前記合羽の前記背中部に形成された前記垂直貫通孔に設けられた複数の前記半球体凸部を有することを特徴とする請求項１に記載の防水靴面構造。
【考案の詳細な説明】
【技術分野】
【０００１】
本考案は、防水靴面構造に関するものであり、さらに詳しくは、靴面に防水ライナー部が設けられ、ユーザが装着したときに通気性及び防水性の機能が得られる防水靴面構造に関するものである。
【背景技術】
【０００２】
図８及び図９に示すように、従来の防水靴面は、通気防水靴面６０を有し、その靴底の両側には、複数の穿孔６１１を有するカバー層６１と、複数の貫通孔６２１を有する内底層６２と、が密着される。カバー層６１と内底層６２との間には、複数本の通気チャネル６３が形成され、靴体内の温かくて湿った気体が複数の通気孔６２１、通気チャネル６３及び穿孔６１１を介して靴体から排出されるため、靴体は通風、通気及び防水の機能を有するが、その防水靴面のカバー層６１の表面に形成された穿孔６１１と、カバー層６１表面とが水平表面上に設けられているため、外側から雨水が浸入することを防ぐことができない上、内底層６２に内部通気チャネルを形成して導水経路として用い、カバー層６１の外部に形成された穿孔６１１から排出させるため、多層を形成する工程が必要であり、靴面の体積及び重量が増え、収率は低かった。
【考案の概要】
【考案が解決しようとする課題】
【０００３】
従って、本考案の主な課題は、ユーザが装着したときに通気性及び防水性の機能が得られる防水靴面構造を提供することにある。
【課題を解決するための手段】
【０００４】
そこで、本考案者は、前記の本考案の課題を解決するため鋭意検討を重ねた結果、靴面に、後述の如き特定の防水ライナー部を設けることにより、前記課題を解決できる点に着目し、かかる知見に基いて本考案に想到するに至った。
【０００５】
すなわち、上記課題を解決するために、本考案の第１の形態によれば、靴底、靴面体及び防水ライナー部を備えた防水靴面構造であって、前記靴面体が前記靴底の上縁面に圧着されて靴体が成形され、前記靴面体には、前記防水ライナー部が設けられ、前記防水ライナー部には、複数の防水半球体凸部が設けられ、前記防水ライナー部の表面には、複数の高低凹凸面が形成され、前記防水半球体凸部は、頂面中心部の高所から下方へ向かって形成された小孔径を有する貫通孔を有するとともに、前記靴面体に設けられ、前記靴面体の内部には、連通する通気孔が形成され、前記靴面体内部の装着空間には、前記靴面体の前記通気孔及び前記防水ライナー部の前記半球体凸部の垂直貫通孔を介して外部の空気が流通され、前記靴体が捻られると、前記靴面体の前記防水ライナー部が外部の圧力を受けて押圧されて靴内の空気が前記半球体凸部の前記貫通孔から押し出され、収縮する際、外部の空気が自然に吸入され、前記靴面体上の前記半球体凸部の前記通気貫通孔に気流交換の通気孔が形成されているため、靴内が通気性を有して快適な履き心地となり、前記防水ライナー部の前記半球体凸部間の高低凹凸面により、雨水が自然に低所に流れ落ち、水滴が前記半球体凸部の前記垂直貫通孔上に落下するときに毛細管現象が発生し、雨水が自然に低所に流れ落ち、前記貫通孔内に浸入することが防止されるため、防水性及び通気性が得られることを特徴とする防水靴面構造が提供される。
【０００６】
かくして、本考案の要旨は、次の（１）〜（５）に記載の通りのものである。
（１）靴底、靴面体及び防水ライナー部を備えた防水靴面構造であって、
前記靴面体が前記靴底の上縁面に圧着されて靴体が成形され、
前記靴面体には、前記防水ライナー部が設けられ、
前記防水ライナー部には、複数の防水半球体凸部が設けられ、前記防水ライナー部の表面には、複数の高低凹凸面が形成され、前記防水半球体凸部は、頂面中心部の高所から下方へ向かって形成された小孔径を有する貫通孔を有するとともに、前記靴面体に設けられ、前記靴面体の内部には、連通する通気孔が形成され、前記靴面体内部の装着空間には、前記靴面体の前記通気孔及び前記防水ライナー部の前記半球体凸部の垂直貫通孔を介して外部の空気が流通し、前記靴体が捻られると、前記靴面体の前記防水ライナー部が外部の圧力を受けて押圧されて靴内の空気が前記半球体凸部の前記貫通孔から押し出され、収縮する際、外部の空気が自然に吸入され、前記靴面体上の前記半球体凸部の前記通気貫通孔に気流交換の通気孔が形成されているため、靴内が通気性を有して快適な履き心地となり、前記防水ライナー部の前記半球体凸部間の高低凹凸面により、雨水が自然に低所に流れ落ち、水滴が前記半球体凸部の前記垂直貫通孔上に落下するときに毛細管現象が発生し、雨水が自然に低所に流れ落ち、前記貫通孔内に浸入することがないため、防水性及び通気性が得られることを特徴とする防水靴面構造。
【０００７】
（２）前記半球体凸部は、様々な形に造形されることを特徴とする前記（１）に記載の防水靴面構造。
【０００８】
（３）前記防水ライナー部の表面には、頂面の高所から下方へ向かって小孔径を有する前記垂直貫通孔が形成されていることを特徴とする前記（１）に記載の防水靴面構造。
【０００９】
（４）前記防水ライナー部は、ヘルメットのヘルメット本体上に設けられるとともに、前記ヘルメット本体の前記垂直貫通孔に設けられた複数の前記半球体凸部を有することを特徴とする前記（１）に記載の防水靴面構造。
【００１０】
（５）前記防水ライナー部は、合羽の背中部上に設けられるとともに、前記合羽の前記背中部に形成された前記垂直貫通孔に設けられた複数の前記半球体凸部を有することを特徴とする前記（１）に記載の防水靴面構造。
【考案の効果】
【００１１】
本考案に係る防水靴面構造は、靴面に防水ライナー部が設けられることから、ユーザが装着したときに通気性及び防水性の機能が得られるという著しく顕著な効果を奏する。
【図面の簡単な説明】
【００１２】
【図１】図１は、本考案の一実施形態に係る防水靴面構造を示す斜視図及び部分拡大図である。
【図２】図２は、本考案の一実施形態に係る防水靴面構造を示す側面図及び部分断面図である。
【図３】図３は、本考案の一実施形態に係る防水靴面構造の防水ライナー部が雨水に濡れて毛細管現象が発生した状態を示す部分断面図である。
【図４】図４は、本考案の一実施形態に係る防水靴面構造を有する靴を履いて使用する際、防水ライナー部に気体が流通する状態を示す拡大断面図である。
【図５】図５は、本考案の一実施形態に係る防水靴面構造の防水ライナー部の他の形態を示す斜視図である。
【図６】図６は、本考案の一実施形態に係る防水靴面構造の防水ライナー部の他の用途（ヘルメット）応用例（１）を示す斜視図である。
【図７】図７は、本考案の一実施形態に係る防水靴面構造の防水ライナー部の他の用途（合羽）への応用例（２）を示す斜視図である。
【図８】図８は、従来の防水靴の部分断面図である。
【図９】図９は、図８の防水靴断面図である。
【考案を実施するための形態】
【００１３】
以下、図面に基いて、本考案について具体的に説明する。もっとも、本考案は、かかる図面によって限定されるものではない。図１及び図２を参照する。図１及び図２に示すように、本考案の一実施形態に係る防水靴面構造は、少なくとも靴底１１、靴面体１２及び防水ライナー部１３から構成されてなる。靴面体１２は、適宜な厚さを有し、履き口を有する立体靴形状の板面に成形され、靴底１１の上縁面に圧着されて靴体１０が成形され、ユーザは履き口に足を入れて履くことができる。靴面体１２の靴面の適宜な場所には、防水ライナー部１３が設けられている。防水ライナー部１３は、複数の防水半球体凸部１３１が間隔をおいて配列され、防水ライナー部１３に高低凹凸面が形成される。半球体凸部１３１は、様々な形に造形され、表面が頂面中心部の高所から下方へ向かって適宜小孔径を有する垂直貫通孔１３２が形成され、靴面体１２に穿設され、靴面体１２外部の半球体凸部１３１には、貫通孔１３２が形成され、靴面体１２の内部には、互いに連通した通気孔１２１が形成される。靴面体１２内部の装着空間には、防水ライナー部１３の半球体凸部１３１の貫通孔１３２を介して外部の空気が流通するため、ユーザが装着する際、高い通気性により高い快適性が得られるとともに、半球体凸部１３１間の高低凹凸面により、雨水が自然に低所に流れ落ち、水滴が半球体凸部１３１の貫通孔１３２上に落下するときに凝集力（表面張力）と付着力とが互いに作用する結果、毛細管現象が発生する。即ち、液体と固体とが接触するとき、液体の表面分子と固体の表面分子とには、吸引し合う付着力が発生し、この付着力が液体の凝縮力より大きいとき、液体は、固体表面に散布された水滴の表面張力により毛細管現象が発生し、雨水が自然に低所に流れ落ち、貫通孔１３２内に浸入することがない（図３を参照する。）。このようにして、本考案の防水靴面は防水性・通気性が得られる。
【００１４】
実際に靴を履いて歩くと、図４に示すように、靴面体１２が歩くステップに合わせて交互に動かされ、その靴面体１２前側に設けられた防水ライナー部１３が靴面体１２に連動し、外部の圧力を受けて押圧されると、靴内の空気が半球体凸部１３１の貫通孔１３２から押し出され、収縮する際、靴面体１２の圧力がリリースされて回復するとともに、外部の空気が自然に吸入される。ユーザが靴を履いて歩くと、自然に靴面体１２上の半球体凸部１３１に形成された垂直貫通孔１３２に気流が流通する通気孔１２１が形成されているため、靴内が通気性を有し、快適な履き心地となる。
【００１５】
上述した靴体１０、靴底１１、靴面体１２及び防水ライナー部１３は、ＥＶＡ材料により一体射出成形されてもよい。
【００１６】
図５を参照する。図５に示すように、上述した靴体１０’の靴底１１’、靴面体の防水ライナー部１３’の半球体凸部１３１’が有する貫通孔１３２’が造形される立体半球面体（例えば、六角形、円錐形、楕円形、三角錐形などの各種形状）は、間隔をおいて配列される。その半球体凸部１３１’は、表面が頂面の高所から下方へ向かって適宜な大きさの細孔径の垂直貫通孔１３２’が靴面体１２’に形成され、靴面体１２’外部の半球体凸部１３１の垂直貫通孔１３２’及び靴面体１２’の内部には、互いに連通する通気孔１２１’が形成され、靴面体１２’内部の装着空間により、防水ライナー部１３’の半球体凸部１３１’の垂直貫通孔１３２’を介して外部の空気が流通するため、靴内が通気を有して履き心地が快適となる。
【００１７】
また、上述した防水ライナー部１３’は、ヘルメット３０のヘルメット本体３１上に直接一体成形され（図６を参照する）、ヘルメット本体３１上の防水ライナー部３２には、複数の半球体凸部３２１が設けられる。半球体凸部３２１は、ヘルメット本体３１に一体化され、防水性・通気性の機能を有する複数の垂直通気孔３２２が形成され、ヘルメット本体３１内部の装着空間内には、防水ライナー部３２の半球体凸部３２１の通気孔３２２を介して外部の空気が流通され、ユーザが装着すると、走行中の風速及び気流により発生した対流がヘルメット本体３１の内外に発生するため、通気性が高まって快適となり、従来のヘルメットを被ったときの暑苦しさを改善することができる。また、雨が降ったときは、半球体凸部３２１間の高低凹凸面を利用し、雨水が自然に低所へ流れ落ちるとともに、半球体凸部３２１表面に散布された水滴の表面張力に毛細管現象が発生し、通気孔３２２内に浸み込まずに雨水が自然に低所へ流れ落ち、防水ヘルメットは防水性・通気性の機能を有する。
【００１８】
また、上述した防水ライナー部４２は、合羽４０の背中部４１上に一体成形される（図７を参照する）。防水ライナー部４２上には、複数の半球体凸部４２１が設けられ、半球体凸部４２１の通気孔４２２が合羽の背中部４１に形成され、防水性・通気性を有する通気孔４２２の防水ライナー部４２が形成され、装着する内部の装着空間内は、防水ライナー部４２の半球体凸部４２１の通気孔４２２を介して外部空気が流通され、ユーザが装着すると、走行中に風速及び気流が対流して合羽の背中部４１の内外を流れるため、通気性が高まり快適性が向上するため、従来、装着したときに感じた暑苦しさを改善することができる。また、雨が降ったときは、半球体凸部４２１間の高低凹凸面により、雨水が自然に低所へ流れ落ちるとともに、半球体凸部４２１の表面に散布された水滴の表面張力に毛細管現象が発生し、通気孔４２２内に浸入することを防ぐとともに、雨水が自然に低所へ流れ落ち、合羽は防水性・通気性の機能を得ることができる。
【符号の説明】
【００１９】
１０  靴体
１１  靴底
１２  靴面体
１３  防水ライナー部
３０  ヘルメット
３１  ヘルメット本体
３２  防水ライナー部
４０  合羽
４１  合羽の背中部
４２  防水ライナー部
６０  通気防水靴面
６１  カバー層
６２  内底層
６３  通気チャネル
１２１  通気孔
１３１  半球体凸部
１３２  貫通孔
３２１  半球体凸部
３２２  通気孔
４２１  半球体凸部
４２２  通気孔
６１１  穿孔
６２１  通気孔
【図１】
0003219423.tif 000003
【図２】
0003219423.tif 000004
【図３】
0003219423.tif 000005
【図４】
0003219423.tif 000006
【図５】
0003219423.tif 000007
【図６】
0003219423.tif 000008
【図７】
0003219423.tif 000009
【図８】
0003219423.tif 000010
【図９】
0003219423.tif 000011
【手続補正書】
【提出日】平成30年10月29日(2018.10.29)
【手続補正１】
【補正対象書類名】実用新案登録請求の範囲
【補正対象項目名】全文
【補正方法】変更
【補正の内容】
【実用新案登録請求の範囲】
【請求項１】
靴底、靴面体及び防水ライナー部を備えた防水靴面構造であって、
前記靴面体が前記靴底の上縁面に圧着されて靴体が成形され、
前記靴面体には、前記防水ライナー部が設けられ、
前記防水ライナー部には、複数の防水半球体凸部が設けられ、前記防水ライナー部の表面には、複数の高低凹凸面が形成され、前記防水半球体凸部は、頂面中心部の高所から下方へ向かって形成された小孔径を有する貫通孔を有するとともに、前記靴面体に設けられ、前記靴面体の内部には、連通する通気孔が形成され、前記靴面体内部の装着空間には、前記靴面体の前記通気孔及び前記防水ライナー部の前記半球体凸部の垂直貫通孔を介して外部の空気が流通し、前記靴体が捻られると、前記靴面体の前記防水ライナー部が外部の圧力を受けて押圧されて靴内の空気が前記半球体凸部の前記貫通孔から押し出され、収縮する際、外部の空気が自然に吸入され、前記靴面体上の前記半球体凸部の前記通気貫通孔に気流交換の通気孔が形成されているため、靴内が通気性を有して快適な履き心地となり、前記防水ライナー部の前記半球体凸部間の高低凹凸面により、雨水が自然に低所に流れ落ち、水滴が前記半球体凸部の前記垂直貫通孔上に落下するときに毛細管現象が発生し、雨水が自然に低所に流れ落ち、前記貫通孔内に浸入することがないため、防水性及び通気性が得られることを特徴とする防水靴面構造。
【請求項２】
前記半球体凸部は、六角形、円錐形、楕円形、又は三角錐形からなる立体半球面体の形状に造形されることを特徴とする請求項１に記載の防水靴面構造。
【請求項３】
前記防水ライナー部の表面には、頂面の高所から下方へ向かって小孔径を有する前記垂直貫通孔が形成されていることを特徴とする請求項１に記載の防水靴面構造。
【請求項４】
前記防水ライナー部は、ヘルメットのヘルメット本体上に設けられるとともに、前記ヘルメット本体の前記垂直貫通孔に設けられた複数の前記半球体凸部を有するヘルメットに適用可能としたことを特徴とする請求項１に記載の防水靴面構造。
【請求項５】
前記防水ライナー部は、合羽の背中部上に設けられるとともに、前記合羽の前記背中部に形成された前記垂直貫通孔に設けられた複数の前記半球体凸部を有する合羽に適用可能としたことを特徴とする請求項１に記載の防水靴面構造。